(57)【要約】【課題】使用中にマウスピース、ネック及び二番管の上部などで生じた水がトーンホールから外側に漏出することを抑制できるサクソフォーン用水漏出防止具又はサクソフォーンその他の楽器を提供する。【解決手段】ベル１１と接続した略Ｕ字状の一番管１３と、一番管１３と接続した二番管１５と、マウスピース２１と、ネック１７とを備えたサクソフォーンであって、マウスピース２１と一番管１３との間に、吹き込まれた息中の水分を付着させて二番管内の所定方向に案内する水案内手段４０を備えている。【選択図】図４
2011002589.tif 000002
【特許請求の範囲】
【請求項１】
ベルと接続された略Ｕ字状の一番管と、該一番管と接続され、マウスピースへ吹き込まれた息がネックを介して流入する二番管とを備えたサクソフォーンに対して装着される水漏出防止具であり、
上記マウスピースと上記一番管との間に装着され、上記吹き込まれた息中の水分を付着させて、上記トーンホールの開口とは異なる位置の上記管体内部を流下させるように案内する水案内手段を備えたことを特徴とする、サクソフォーン用水漏出防止具。
【請求項２】
前記水案内手段は、前記ネックと前記二番管との接続部位又はその近傍の内壁面を被覆可能な被覆部材を有することを特徴とする、請求項１に記載のサクソフォーン用水露出防止具。
【請求項３】
前記被覆部材は、前記二番管の前記トーンホールに対応する位置に、該トーンホール以上の大きさを有する逃げ開口を有することを特徴とする、請求項２に記載のサクソフォーン用水露出防止具。
【請求項４】
前記水案内手段は、前記ネックと前記二番管との接続部位又はその近傍から上記二番管内に吊下された吊下部材を有することを特徴とする、請求項１に記載のサクソフォーン用水漏出防止具。
【請求項５】
前記水案内手段の前記サクソフォーン内部に露出される表面の少なくとも一部が、装着位置周囲の内壁面より親水性であることを特徴とする、請求項１乃至４の何れかに記載のサクソフォーン用水露出防止具。
【請求項６】
トーンホールを有すると共に縦に配置されて吹き込まれた息が上側から流入する管体を備えた管楽器に対して装着可能な管楽器用水漏出防止具であり、
上記管体に装着され、上記吹き込まれた息中の水分を付着させて、上記トーンホールの開口とは異なる位置の上記管体内部を流下させるように案内する水案内手段を備えたことを特徴とする、管楽器用水漏出防止具。
【請求項７】
ベルと接続された略Ｕ字状の一番管と、該一番管と接続され、マウスピースへ吹き込まれた息がネックを介して流入する二番管とを備えたサクソフォーンにおいて、
上記マウスピースと上記一番管との間に、上記吹き込まれた息中の水分を付着させて、上記トーンホールの開口とは異なる位置の上記管体内部を流下させるように案内する水案内手段を備えたことを特徴とする、サクソフォーン。
【請求項８】
請求項１乃至５の何れかに記載のサクソフォーン用水漏出防止具が装着されていることを特徴とする、請求項７に記載のサクソフォーン。
【請求項９】
前記水案内手段は、前記二番管内壁面の前記トーンホールと離間する位置に、前記ネック側から前記一番管側へ向けて設けられた溝を有することを特徴とする、請求項７又は８に記載のサクソフォーン。
【請求項１０】
前記水案内手段は、前記二番管の各前記トーンホールの周囲を囲むように、上記内壁面から内側に突出して設けられた突出壁を有することを特徴とする、請求項７乃至９の何れかに記載のサクソフォーン。
【請求項１１】
前記水案内手段は、頂部側が上部となるように傾斜して設けられたトーンホール周壁を有することを特徴とする、請求項７乃至１０の何れかに記載のサクソフォーン。
【請求項１２】
前記水案内手段は、各前記トーンホールの開口内面を除く前記二番管の内壁面に設けられ、上記トーンホールの開口内面より高い親水性を有することを特徴とする、請求項７乃至１１に記載のサクソフォーン。
【請求項１３】
トーンホールを有すると共に縦に配置されて吹き込まれた息が上側から流入する管体を備えた管楽器において、
上記管体に、上記吹き込まれた息中の水分を付着させて、上記トーンホールの開口とは異なる位置の上記管体内部を流下させるように案内する水案内手段を備えたことを特徴とする、管楽器。
【発明の詳細な説明】
【技術分野】
【０００１】
本発明は、ベルと接続された略Ｕ字状の一番管を備えたサクソフォーン、その他の管楽器と、これらに装着可能な水漏出防止具とに関する。
【背景技術】
【０００２】
カーブドソプラノサクソフォーン、アルトサクソフォーン、テナーサクソフォーンなどのように、ベルと接続された略Ｕ字状の一番管と、一番管と接続されてマウスピースへ吹き込まれた息がネックを介して流入する二番管とを備えたサクソフォーンでは、マウスピースが演奏者側に配置されると共にベルが前方側に配置され、二番管が鉛直方向よりネック側が若干前方に傾斜して配置された状態で、長時間演奏されることが多い。
【０００３】
このようなサクソフォーンでは、マウスピースへ息を吹き込みつつ多数の指貝やレバーを操作することで、二番管や一番管に多数設けられているトーンホールを開閉して所望の楽曲が演奏される。
【０００４】
演奏時には、リードからマウスピースへ吹き込まれた息はネックを経由して二番管に流入する。息には水蒸気が含まれているため、吹き込まれた息はサクソフォーン内で凝縮して水が生成される。凝縮により生じた水は、一番管に徐々に溜まるため、演奏途中や演奏後に、例えば楽器を傾けてベルから排出する。
【発明の概要】
【発明が解決しようとする課題】
【０００５】
マウスピースやネック、或いは二番管の上部で凝縮により生じた水は、水滴となって二番管の内壁面に付着して重力により流下するが、二番管のトーンホールの開口に到達すると、トーンホールの開口が開放或いは半開放された際、二番管の外側に漏出する。
【０００６】
例えばトーンホールの開口やその付近に水滴が存在したり、滞留した状態で、トーンホールが開放或いは半解放することで、トーンホールから噴出される気流と共に水が外部に噴出する。特に、二番管のネック側で前方側に設けられているhigh Ｆ、highＥ♭、highＤのトーンホールでは、例えば吹き込まれた息により水滴が前方側へ移動し易いこともあって水が漏出し易い。
このような水の漏出は他の管楽器でも生じることがある。
【０００７】
息が凝縮することで生じた水が、サクソフォーンの外側に流出すると、例えば、指貝やレバー等が濡れて、サクソフォーンを支持する手や指が滑り易くなったり、演奏者の衣服を濡らしたりするなど、演奏環境を悪化させ易い。
また、トーンホールを開閉するタンポに水が付着することで、タンポが劣化したり、タンポがトーンホールに付着したりして、開く方向に付勢されているタンポなどでは、指貝やレバーを操作してもタンポが付着したままで、トーンホールが開かないなど、演奏の障害が生じる。
しかも、サクソフォーンの表面の水による汚れや、タンポ、メッキの劣化が生じたり、錆を誘発し易くなるため、メンテナンスの回数が増加したり、タンポや楽器の寿命が短くなるなど、耐久性を低下させ易い。
なによりも、演奏者に対する精神的なストレス負担が大きい。
【０００８】
そこで、本発明は、使用中にマウスピース、ネック及び二番管の上部などで生じた水がトーンホールから外側に漏出することを抑制できる水漏出防止具、サクソフォーン、その他の管楽器を提供することを目的とする。
【課題を解決するための手段】
【０００９】
上記目的を達成するサクソフォーン用水漏出防止具は、ベルと接続された略Ｕ字状の一番管と、一番管と接続され、マウスピースへ吹き込まれた息がネックを介して流入する二番管とを備えたサクソフォーンに対して装着される水漏出防止具であり、マウスピースと一番管との間に装着され、吹き込まれた息中の水分を付着させて、トーンホールの開口とは異なる位置の管体内部を流下させるように案内する水案内手段を備えたことを特徴としている。
上記目的を達成する管楽器用水漏出防止具は、トーンホールを有すると共に縦に配置されて吹き込まれた息が上側から流入する管体を備えた管楽器に対して装着可能な管楽器用水漏出防止具であり、管体に装着され、吹き込まれた息中の水分を付着させて、トーンホールの開口とは異なる位置の管体内部を流下させるように案内する水案内手段を備えたことを特徴としている。
【００１０】
上記目的を達成するサクソフォーンは、ベルと接続された略Ｕ字状の一番管と、一番管と接続され、マウスピースへ吹き込まれた息がネックを介して流入する二番管とを備えたサクソフォーンにおいて、マウスピースと一番管との間に、吹き込まれた息中の水分を付着させて、トーンホールの開口とは異なる位置の管体内部を流下させるように案内する水案内手段を備えたことを特徴としている。
上記目的を達成する管楽器は、トーンホールを有すると共に縦に配置されて吹き込まれた息が上側から流入する管体を備えた管楽器において、管体に、吹き込まれた息中の水分を付着させて、トーンホールの開口とは異なる位置の管体内部を流下させるように案内する水案内手段を備えたことを特徴としている。
【発明の効果】
【００１１】
本発明の水漏出防止具によれば、サクソフォーン又はその他の管楽器に装着すると、息中の水分が付着して流下する水案内手段が、トーンホールの開口とは異なる位置の管体内部に水を流下させるように配置されるので、使用中にマウスピースへ吹き込まれた息中の水蒸気が凝縮して生じる水を、水案内手段に付着させて流下させることができ、トーンホールの開口に到達する水を少なく抑えたり、無くすことができる。そのため、使用中に内部からトーンホールの開口を通して外側に水が漏出することを抑制したり、防止することが可能である。
【００１２】
本発明のサクソフォーン又は管楽器によれば、吹き込まれた息中の水分を付着させて、トーンホールの開口とは異なる位置の管体内部を流下させるように案内する水案内手段を備えているので、使用中にマウスピースへ吹き込まれた息中の水蒸気が凝縮して生じる水を、水案内手段により案内して流下させることができる。そのため、トーンホールの開口に到達する水を少なく抑えたり、無くすことができ、使用中にトーンホールの開口を通して外側に水が漏出することを抑制したり、防止することが可能である。
【図面の簡単な説明】
【００１３】
【図１】本発明の実施の形態１に係るサクソフォーンの概略正面図である。
【図２】実施の形態１に係るサクソフォーンの概略側面図である。
【図３】実施の形態１に係る二番管の部分縦断面図である。
【図４】（ａ）は実施の形態１に係るサクソフォーン用水漏出防止具の装着状態を示す部分縦断面図、（ｂ）はそのサクソフォーン用水漏出防止具の装着前を示す正面図、（ｃ）はそのサクソフォーン用水漏出防止具の装着時の斜視図、（ｄ）は実施の形態１の変形例を示す正面図である。
【図５】（ａ）は実施の形態２に係るサクソフォーン用水漏出防止具の装着前を示す正面図、（ｂ）はそのサクソフォーン用水漏出防止具の斜視図、（ｃ）はそのサクソフォーン用水漏出防止具を装着したサクソフォーンを展開した状態を示す図である。
【図６】実施の形態３に係るサクソフォーンの部分縦断面図である。
【図７】実施の形態４に係るサクソフォーンの部分縦断面図である。
【図８】（ａ）乃至（ｄ）は実施の形態４に係るサクソフォーンの変形例を示す部分縦断面図である。
【図９】（ａ）は実施の形態５のサクソフォーンの部分縦断面図、（ｂ）は実施の形態６のサクソフォーンの二番管の縦断面図である。
【図１０】（ａ）は実施の形態７のサクソフォーンの部分縦断面図、（ｂ）は実施の形態７の筒状体の変形例を示す図である。
【発明を実施するための形態】
【００１４】
以下、図１乃至図１０を参照して本発明の幾つかの実施の形態について説明する。
【００１５】
［第１の実施の形態］
サクソフォーン１０は、図１及び図２に示すように、ベル１１と、ベル１１の下端に接続された略Ｕ字状の一番管１３と、一番管１３のベル１１とは他端側に接続された略直線テーパ形状の二番管１５と、二番管１５の上端に接続されて略へ字形状に湾曲したネック１７と、ネック１７に接続されてリード１９が装着されたマウスピース２１とを備える。
【００１６】
一番管１３及び二番管１５の側面には、ソルダードタイプ又はドローンタイプの多数のトーンホール２３が図３に示すように開口して設けられており、各トーンホール２３の周壁が一番管１３又は二番管１５の外表面から外側に突出して形成されている。各トーンホール２３は、一番管１３及び二番管１５の周方向の一定位置ではなく、操作上及び外観意匠上などの理由で、それぞれ異なる向きに設けられている。
各トーンホール２３のそれぞれに対応する位置には、レバー２５や指貝２７等により操作可能なタンポ２９が装着されており、各トーンホール２３を開放、半開放及び閉塞可能となっている。
【００１７】
この実施の形態のサクソフォーン１０には、ネック１７と二番管１５との接続部位及びその近傍にサクソフォーン用水漏出防止具３０が装着されている。サクソフォーン用水漏出防止具３０は、図４（ａ）に示すように、ネック１７と二番管１５との接続部位において、ネック１７と隣接する二番管１５の内壁面を被覆する被覆部材３３ａと、ネック１７と二番管１５との接続部位において、ネック１７の端部の内壁面を被覆する被覆部材３３ｂとを備える。これらの被覆部材３３ａ，３３ｂは何れか一方のみを装着してサクソフォーン用水漏出防止具として使用することが可能である。
【００１８】
被覆部材３３ａ，３３ｂは、それぞれネック１７や二番管１５の内壁面を覆う部材であればよいが、好ましくは内壁面に密着できる部材であるのが好適である。具体的には、被覆部材３３ａ，３３ｂの材質は、樹脂、ゴム、皮革、金属などの被膜や薄肉のフィルム、シート、板などが挙げられ、特に、弾性変形可能な材料からなるシートや薄板であれば、各内壁面に弾性力により装着でき、しかも装着が容易であるため好適である。
【００１９】
被覆部材３３ａ，３３ｂの材料の硬さを選択することで、サクソフォーン１０の音質を適度に変化させることが可能であるため、被覆部材３３ａ，３３ｂの材料は所望の音質となるように選択することが好適である。この実施形態では、被覆部材３３ａ，３３ｂが何れも板バネなどに使用される弾性を有する薄肉金属板からなるものを用いている。
【００２０】
被覆部材３３ａ，３３ｂの少なくとも内側表面、好ましくは全表面は、それぞれ装着されるネック１７又は二番管１５の内壁面より高い親水性を有するのが好ましい。その場合、被覆部材３３ａ，３３ｂの材料自体がネック１７又は二番管１５の内壁面より高い親水性を有する材料である場合を除き、被覆部材３３ａ，３３ｂの表面に親水性処理を施して親水性処理面を形成することが好適である。親水性処理は、処理前よりも親水性を向上できる処理であれば特に限定されるものではないが、例えば、超親水性塗料を塗布するなどにより行ってもよい。親水化処理された被覆部材３３は、水分が付着し易くなることで、表面に大きな水滴を形成し難くでき、これにより、後述するように、大きな水滴がトーンホールから一気に流れ出ることを防止でき、また、水を案内して流下し易くできる。
【００２１】
被覆部材３３ａは、二番管１５の内表面を被覆するもので、図４（ｂ）に示すように、薄肉金属板からなり、二番管１５の各トーンホール２３に対応する位置に、トーンホール２３の開口以上の大きさの貫通孔からなる逃げ開口４１を有する。
この被覆部材３３ａは、図４（ｃ）に示すように、弾性変形させて略筒状の形状に変形された状態で二番管１５の内壁面に配置されている。装着状態で周方向の両端縁間が離間しており、その間隙がオクターブキーのホール２３に対応する二番管１５内側への突出部分４３の直径に対応した幅となっている。両端縁間に突出部分４３が配置されることで、被覆部材３３ａの周方向位置が設定でき、各逃げ開口４１を各トーンホール２３の位置に対応させることが容易になっている。
【００２２】
薄肉金属板からなる被覆部材３３ａは、テーパ形状を有する二番管１５の各位置の内周長さから突出部分４３の直径を減じた横幅を有する。被覆部材３３ａの長さは、ネック１７の下端から、二番管１５の上側に配置されたトーンホール２３の１乃至複数個より下方の位置まで到達する長さとなっている。
この長さをネック１７の下端からＧ♯のトーンホール２３下までの距離、或いは左手トーンホール２３の全ての位置より下までの距離に対応する長さとしてもよいが、少なくともネック１７の下端からhightＦのトーンホール２３ｂ下の位置、或いはhightＥ♭のトーンホール２３ｃ下の位置までの距離に対応する長さとすることが好ましい。
この実施の形態の場合、hightＦ♯、hightＦ、hightＥ♭、hightＤのトーンホール２３ａ，２３ｂ，２３ｃ，２３ｄの下側までの長さに形成され、各トーンホール２３ａ〜２３ｄに対応する逃げ開口４１が設けられている。
【００２３】
このような被覆部材３３ａをサクソフォーン１０に装着するには、ネック１７を二番管１５から離脱させ、被覆部材３３ａを二番管１５の上端の内径より小さく円筒形状に縮小して二番管１５の内部に挿入し、ネック１７側の二番管１５のトーンホール２３ａ，２３ｂ，２３ｃ，２３ｄの位置に逃げ開口４１を対応させる。その後、弾性力により外径を拡大させて、被覆部剤３３ａの外表面を二番管１５の内壁面に圧接させた状態で、ネック１７と二番管１５とを接続する。これにより、被覆部材３３ａを二番管１５の内壁面に固定して装着する。
【００２４】
挿入時には、変形された被覆部材３３ａの周方向両端縁間に突出部分４３を配置させて内部へ挿入することで、突出部分４３に両側縁が案内されるため、被覆部材３３ａの周方向の位置を位置合わせすることができる。また、上端縁をネック１７の下端に略一致させることで、上下方向の位置を位置合わせすることができる。
【００２５】
次に、被覆部材３３ｂは、ネック１７の内表面を被覆するもので、図４（ｂ）に示すように、被覆部材３３ｂより長さが短く、横幅が広い帯状の薄肉金属板からなる。被覆部材３３ｂは、図４（ｃ）に示すように、弾性変形させて円筒状の形状に変形された状態でネック１７の内壁面に配置されている。この被覆部材３３ｂの横幅は、ネック１７の内周長より長く形成されているのが好ましく、例えば、ネック１７の内周長１倍より大きく１．５倍以下程度としてもよい。ネック１７の内周長より短いと、装着状態で被覆部材３３ｂで被覆されない部位が縦方向の隙間として形成されるため、水が集まり易くてトーンホール２３からの水の漏出を防止し難くなる場合があるからである。
【００２６】
このような被覆部材３３ｂをサクソフォーン１０に装着するには、ネック１７を二番管１５から離脱させた状態で、被覆部材３３ｂをネック１７の端部内径より小さく縮小し、ネック１７の内部に挿入し、解放して弾性力により外径を拡大させ、外表面をネック１７の内壁面に弾性力により圧接させる。そして、ネック１７を二番管１５に接続することで、装着が完了する。
【００２７】
被覆部材３３ａ，３３ｂをそれぞれの位置に装着したサクソフォーン１０を用いて演奏するには、装着しない状態と何ら異なることなく使用すればよい。
【００２８】
演奏時には、リードからマウスピースへ息が吹き込まれ、マウスピース２１やネック１７の内部では、息に含まれる水蒸気が凝縮して水滴が生成される。被覆部材３３ｂより上部の内壁面で水滴が生成した場合、重力により流下してネック１７と二番管１５との接合部位の被覆部材３３ｂに到達する。被覆部材３３ｂはネック１７の内壁面より親水性が高いため、水滴が被覆部材３３ｂに広がるように付着して保持される。
【００２９】
被覆部材３３ａ，３３ｂの内表面で息に含まれる水蒸気が凝縮した場合、被覆部材３３ａ，３３ｂがネック１７や二番管１５の内壁面より親水性が高いため、そのまま被覆部材３３ａ，３３ｂに広がるように付着して保持される。
【００３０】
被覆部材３３ａ，３３ｂに保持された水の量が増加すると、被覆部材３３ａ，３３ｂの表面上を流下する。このとき、被覆部材３３ｂでは、親水性が高い分、水が広がり大きな水滴が形成されずに二番管１５側へ流下することができる。また、被覆部材３３ａでは、二番管１５の内壁面より親水性が高いため、水が被覆部材３３ａの表面に沿って流下し易く、水が逃げ開口４１からトーンホール２３側へ移動することが防止される。その結果、二番管１５の上部側のhightＦ♯、hightＦ、hightＥ♭、hightＤのトーンホール２３ａ，２３ｂ，２３ｃ，２３ｄに大きな水滴が到達せずに、一番管１３側へ水が流下することができる。なお、二番管１５の内部を流下した水は一番管１３に徐々に溜まり、演奏途中や演奏後に排出される。
【００３１】
以上のようなサクソフォーン１０によれば、サクソフォーン用水漏出防止具３０が内部に装着されることで、二番管１５のトーンホール２３の開口以外の位置に配置された被覆部材３３に息中の水分が付着して流下し易くなるので、マウスピース２１へ吹き込まれた息中の水蒸気が凝縮して生じる水が、大きな水滴となって二番管１５のトーンホール２３の開口に到達することを少なく抑えたり、無くすことができる。
そのため、使用中にサクソフォーン１０の内部からトーンホール２３の開口を通して外側に水が漏出することを抑制したり、防止することが可能である。特に、二番管１５の上端側に設けられているトーンホール２３を開いた際、トーンホール２３から噴出される気流により大きな水滴が一気に流れ出ることを防止することができる。
しかも、このように装着していても、サクソフォーン１０の音に対する悪影響はなく、何ら問題なく演奏することが可能である。
【００３２】
また、水案内手段である被覆部材３３ａ，３３ｂがネック１７の内壁面に弾性力により係止可能なものであるので、容易にネック１７や二番管１５の内壁面に装着することができ、装着及び取外し操作が容易である。
【００３３】
なお、上記実施の形態は、本発明の範囲内において適宜変更可能である。例えば、上記では、被覆部材３３ａとして、オクターブキーのホール２３に対応する二番管１５内側への突出部分４３を利用して周方向の位置合わせが可能な幅に規定したが、特に限定されるものではなく、例えば二番管１５の内壁面全周を被覆する幅に形成して、オクターブキーの突出部分４３に対応する部位に括れ部分を設けてもよい。
【００３４】
さらに、二番管１５の内壁面の周方向の一部のみを被覆する幅に形成することも可能であり、例えば、図４（ｄ）に示すように、水が漏出し易いhightＦ、hightＥ♭、hightＤのトーンホール２３ｂ，２３ｃ，２３ｄが開口している付近の二番管１５の一部分の内壁面を被覆する幅とし、各トーンホール２３ｂ，２３ｃ，２３ｄに対応する逃げ開口４１を設けて用いることも可能である。その場合、例えば、図４（ｄ）に示すように、被覆部材の幅方向の全長を長く確保するために、二番管１５のトーンホール２３が設けられていない内壁面に延びる延長部を設けることも可能である。
【００３５】
このような被覆部材３３ａであっても、上記と同様に、被覆部材３３ａを二番管１５の上端の内径より小さくなるように湾曲させて二番管１５の内部に挿入し、ネック１７側の二番管１５のトーンホール２３ａ，２３ｂ，２３ｃ，２３ｄの位置に逃げ開口４１を対応させることで二番管１５の内壁面に装着することができる。その際、各逃げ開口４１とトーンホール２３との位置を合わせるには、例えば指で両者の位置を確認することで行うことができる。
【００３６】
そして、このような被覆部材３３ａであっても、上記と異なることなく使用でき、被覆部材３３ａの内表面に付着した水が被覆部材３３ａの表面に沿って流下し、トーンホール２３から流出することを防止できる。
【００３７】
上記実施の形態では、他にも本発明の範囲内において適宜変更が可能であり、例えば上記では水案内手段が被覆部材３３ａ，３３ｂのみからなる例について説明したが、他の実施の形態に係る水案内手段と共に用いることも可能である。
上記では、被覆部材３３が平板状に形成されている例について説明したが、予め湾曲形状に形成されたものであってもよく、装着前の形状は特に限定されない。
上記では、被覆部材３３ａ，３３ｂが別部材に形成された例について説明したが、連続した一枚の板により一体に形成されていてもよい。また、被覆部材３３ｂを用いずに、二番管１５内に被覆部材３３ａを装着するだけであってもよい。被覆部材３３ａ，３３ｂの装着位置も、適宜変更することが可能であり、ネック１７と二番管１５との接続部位に限られることなく、接続部位の近傍の各内壁面に装着していてもよい。
【００３８】
上記では、被覆部材３３ａの表面全体に親水性処理を施したが、表面の一部に親水性処理を施したものであってもよい。例えば、各逃げ開口４１の周囲に親水性処理を施さず、各逃げ開口４１の周囲の親水性を低下させておくことも可能である。
また、被覆部材３３ａの表面の一部に親水性処理を施し、他の一部に撥水性塗料を塗布するなどの撥水性処理を施すことも可能である。
【００３９】
［第２の実施の形態］
図５（ａ）〜（ｃ）は、第２の実施の形態のサクソフォーン用水露出防止具３０を示す。この実施の形態に係るサクソフォーン用水露出防止具３０は、図５（ａ）に示すように、ネック１７と二番管１５との接続部位に固定可能な固定部４７と、固定部４７に連結されて、二番管１５内に吊下可能な水案内手段としての吊下部材４９とを有する。
【００４０】
固定部４７は、サクソフォーン１０の内壁面に弾性力により係止可能な弾性板材からなり、例えば上述の被覆部材３３ｂと同様の材料により、同様の形状で形成されていてもよい。
一方、吊下部材４９は、例えば引張バネのように、螺旋状に巻回された線状部材５１を３方向にＹ字状に分岐して形成されている。分岐されたうちの１方向の線状部材５１の下端部に、線状部材５１を重力により適度に引き延ばして配置するための錘５３が固定されている。錘５３としては、例えばゴムなどからなるものであれば、サクソフォーン１０の内表面の傷を防止できて好適である。
【００４１】
錘５３が固定されていない２本の線状部材５１は、固定部４７の上縁側において互いに離間した２カ所から下方側ほど幅が狭くなるように固定されている。分岐部分より上方の２本の線状部材５１が下側ほど幅が狭くなるように固定されることで、線状部材５１間の固定部に付着した水が流下する際、分岐部分に水を集合させ易くしている。
【００４２】
錘５３が固定されている線状部材５１の下端は、少なくともＢのトーンホール２３ｅより下側、好ましくはＧのトーンホール２３ｆより下側、より好ましくはＧ♯のトーンホール２３ｇより下側となるのが好ましい。Ｂのトーンホール２３ｅ、Ｇのトーンホール２３ｆ、Ｇ♯のトーンホール２３ｇは何れも演奏中に水の漏出が起こり易いトーンホール２３であり、これらのトーンホール２３より下まで水を案内できれば、水の漏出を防止し易くできる。
【００４３】
２方向の線状部材５１の分岐部分は、好ましくは正面中心線Ｌｆ上または、その近傍に配置されることが好適である。ここで、正面中心線Ｌｆとは、二番管１５にベル１１及び一番管１３やネック１７を接続した状態で、ネック１７の中心軸の延長が、二番管１５の前方側の内表面に到達する点を通り二番管１５の中心軸と平行な線である。この正面中心線Ｌｆは、演奏者のサクソフォーン１０の支持状態に応じて多少の差はあるものの、略同一と見なすことができる。
【００４４】
このサクソフォーン用水露出防止具３０をサクソフォーン１０に装着するには、まず、ネック１７を二番管１５から離脱させた状態とし、固定部４７をネック１７の下端側の内径又は二番管１５の上端側の内径より小さい径に縮小し、ネック１７又は二番管１５の内部に挿入する。このとき線状部材５１の分岐部分が正面中心線Ｌｆ上又はその近傍に配置されるようにする。
その後、固定部４７を解放すると、弾性力により外径が拡大し、外表面がネック１７の内壁面又は二番管１５の内表面に弾性力で圧接して固定される。一方、二番管１５内に錘５３及び錘５３が固定された線状部材５１を挿入し、二番管１５にネック１７を接続することで装着を完了する。
【００４５】
サクソフォーン用水露出防止具３０が装着された状態を図５（ｂ），（ｃ）に示す。図５（ｂ）では、二番管１５を省略して示しており、図５（ｃ）では、二番管１５を展開した状態を示している。図中、二番管１５の左右両縁は連続している。
【００４６】
このようなサクソフォーン用水露出防止具３０が装着されたサクソフォーン１０では、マウスピース２１及びネック１７内で凝集した水が固定部４７の表面で重力により流下すると、分岐された線状部材５１により分岐部分に集まり易い。そのため、この水が、錘５３を固定して一番管１３側へ吊下されている線状部材５１に付着することで、その線状部材５１を伝わって流下することができる。
そのため、これらの水が、二番管１５のネック１７側のhightＦ及びhightＥ♭のトーンホール２３ｂ，２３ｃ、更には二番管１５の左手トーンホール２３に到達し難くなり、各トーンホール２３から漏出する水の量を少なく抑えたり、無くすことが可能である。しかも、サクソフォーン１０の音に対する悪影響も防止できる。
【００４７】
なお、上記実施の形態では、水案内手段が二番管１５内に吊下された吊下部材４９のみからなる例について説明したが、他の実施の形態に係る水案内手段４０と共に用いることも可能である。
上記では、固定部４７に設けられた水集合部は、吊下部材４９の２方向の線状部材５１により形成したが、特に限定されるものではなく、例えば固定部４７に樹脂等により、下側ほど離間幅が狭くなるように内側に突出させて設けた筋状突起により形成することも可能である。
上記では、線状部材５１を、引張バネのように螺旋状に巻回されたものを用いたが、特に限定されるものではなく、棒状体、板状体等のように変形不能なものであっても使用可能であるが、変形可能であって水を付着させることが可能な長尺部材であれば、上記と同様に二番管１５内に吊り下げてサクソフォーン用水露出防止具として使用することが可能である。
【００４８】
さらに、上記では線状部材５１の分岐部分を二番管１５のトーンホール２３より上側に設けたが、水集合部を二番管１５に設けられた上方のトーンホール２３より下側に設け、分岐部分までの線状部材５１をそれぞれトーンホール２３に対して異なる側に配置されるように設けることも可能である。また、１本の線状部材５１の一端側を固定部４７に固定し、他端側に錘５３を固定して構成することも可能である。さらに４方向以上に分岐した線状部材５１を用い、３方向以上の線状部材５１により水集合部を形成することも可能である。
【００４９】
［第３の実施の形態］
第３の実施の形態は、水案内手段が設けられたサクソフォーン１０の例を示す。ここでは、二番管１５の一部又は全てのトーンホール２３に水案内手段４０が設けられている。例えば、hightＦ、hightＥ♭、hightＤのトーンホール２３ｂ，２３ｃ，２３ｄに設けていてもよい。
【００５０】
具体的には、水案内手段４０は、図６に示すように、二番管１５の一部又は全てのトーンホール２３がソルダードタイプで形成されており、トーンホール周壁５５が二番管１５の内壁面から内側に突出して設けられることで、開口周囲を囲む突出壁５７が形成されている。このサクソフォーン１０では、突出壁５７を除く二番管１５の内壁面の一部又は全体が、例えば親水性処理面とされることで、突出壁５７より親水性に形成されていてもよい。
【００５１】
このようなサクソフォーン１０では、使用時にマウスピース２１、ネック１７、二番管１５の上方側で、凝縮などにより生じた水滴が二番管１５の内壁を伝って流下すると、突出壁５７に到達した際、突出壁５７の外周囲を伝って一番管１３側に流下することができる。そのため、流下した水滴が各トーンホール２３の開口内に流入することを防止し易く、各トーンホール２３から外部に漏出する水を抑制したり、無くすことが可能である。
【００５２】
なお、上記実施の形態でも、水案内手段として突出壁５７のみを設けた例について説明したが、他の実施の形態に係る水案内手段４０と共に用いることも可能である。
【００５３】
［第４の実施の形態］
この第４の実施の形態は、水案内手段が設けられたサクソフォーン１０の例であり、二番管１５の一部又は全てのトーンホール２３に水案内手段４０が設けられている。例えば、hightＦ、hightＥ♭、hightＤのトーンホール２３ｂ，２３ｃ，２３ｄに設けていてもよい。
【００５４】
具体的には、水案内手段４０は、図７に示すように、二番管１５の一部又は全てのトーンホール２３のトーンホール周壁５５が二番管１５の軸線Ｌｓに対して傾斜して設けられており、各トーンホール２３の頂部側が上部に傾斜している。ここでは、トーンホール２３の頂部周縁は二番管１５の軸線Ｌｓと平行な平面上に形成されており、頂部の開口が楕円形状となっている。
【００５５】
このようなサクソフォーン１０では、使用時にマウスピース２１、ネック１７、二番管１５の上方側で、凝縮などにより生じた水滴が二番管１５の内壁を伝って流下した際、各トーンホール２３の開口まで到達すると、各トーンホール周壁５５が傾斜しているため、水滴がトーンホール２３内を頂部側に向けて流動することなく、確実に一番管１３側へ流下させることができる。
そのため、流下した水滴が各トーンホール２３の開口内に流入することを防止し易く、各トーンホール２３から外部に漏出する水を抑制したり、無くすことが可能である。しかも、サクソフォーン１０の音に対する悪影響も防止できる。
【００５６】
なお、上記実施の形態でも、水案内手段として傾斜したトーンホール周壁５５のみを設けた例について説明したが、他の実施の形態に係る水案内手段４０と共に用いることも可能である。例えば、図８（ａ）に示すように、トーンホール２３をソルダードタイプで形成し、トーンホール２３の頂部側が上部となるように傾斜して設けられたトーンホール周壁５５とし、更に、トーンホール周壁５５が二番管１５の内壁面から内側に突出して設けられることで、開口周囲を囲む突出壁５７を形成してもよい。ここでは、頂部の周縁が二番管１５の軸線Ｌｓに平行な平面上に形成されており、突出部５７の内側端部が尖った形状とならないように周縁が軸線Ｌｓに対して傾斜するように形成されている。
【００５７】
各トーンホール２３の形状は、適宜選択可能であり、例えば図８（ｂ）に示すように、ソルダードタイプで形成されたトーンホール周壁５５において、二番管１５の内壁面から内側に突出して設けられた突出壁５７の内側端の周縁を二番管１５の軸線Ｌｓに平行な平面上に形成し、頂部及び内側端の開口を楕円形状に形成してもよい。また、図８（ｃ）に示すように、ソルダードタイプで形成されたトーンホール周壁５５の端部を二番管１５の壁面より内側に突出させることなく、二番管１５の軸線Ｌｓに対して傾斜して設け、頂部側を上部に傾斜させてもよい。
【００５８】
さらに、図８（ｄ）に示すように、ソルダードタイプで形成されたトーンホール周壁５５の頂部周縁を、二番管１５の軸線Ｌｓと平行な平面上に形成するのではなく、トーンホール周壁５５と直交する面上に形成してもよい。その場合、レバー２７により支持されたタンポ２９を、トーンホール２３の頂部の向きに一致するように傾斜して設け、トーンホール２３の開口をタンポ２９により開閉できるようにすることもできる。
このようにすれば、トーンホール２３の頂部の開口が楕円形ではなく、略円形に形成できるため、開閉時の違和感などを少なく抑えることができる。
また、この図８（ｄ）に示すソルダードタイプで形成されたトーンホール周壁５５において、図８（ｃ）に示すトーンホールと同様に、端部を二番管１５の壁面より内側に突出させることなく設けることも可能である。
【００５９】
［第５の実施の形態］
この第５の実施の形態は、水案内手段が設けられたサクソフォーン１０の例であり、ネック１７と二番管１５との接合部位及び二番管１５の内壁面に溝を設けた例である。
図９（ａ）はネック１７と二番管１５との接合部位を示し、図９（ｂ）は二番管１５の内部を展開した状態を示している。
【００６０】
この実施の形態に係るサクソフォーン１０では、水案内手段として、ネック１７の二番管１５との接合部位において、マウスピース２１とは反対側の正面側の約半周部分に、図９（ａ）に示すような段差凹部５９が形成されると共に、二番管１５の正面側の内壁面には段差凹部５９と連続する位置に溝６１が形成されている。
【００６１】
ネック１７の段差凹部５９は、略逆三角形状を呈し、正面中心線Ｌｆの部位では下端側に解放した溝状に形成されている。段差凹部５９の深さは特に限定されるものではないが、少なくともネック１７と二番管１５とを接続した状態で十分な使用強度が確保できる深さであるのが好ましいと共に、使用時のサクソフォーンの配置状態で、マウスピース２１及びネック１７の上部側で生成された水が流入した際、段差凹部５９の下部側の段差により水が案内されて、下端側の溝状の部位に流動可能な程度の深さであるのが好ましい。
【００６２】
さらに、段差凹部５９の下部側の勾配は、特に限定されるものではないが、使用時のサクソフォーンの配置状態で、マウスピース２１及びネック１７の上部側で生成された水が段差凹部５９内に流入した際、下部側の勾配に沿って流下可能な傾斜であるのが好適である。
【００６３】
一方、二番管１５の内部に設けられた溝６１は、段差凹部５９の下端の幅と略同一の幅を有し、正面中心線Ｌｆに沿って一番管１３側へ向けて延びている。溝６１のネック１７の段差凹部５９との隣接位置は、略逆三角形状に形成され、段差凹部５９から流下する水を確実に受けられるようにしている。例えば、ネック１７と二番管１５との周方向の相対向きが使用者による個人差があったとしても、段差凹部５９が溝６１の略逆三角形状の範囲内に配置することが可能である。
この溝の深さは、特に限定されるものではないが、少なくともネック１７と二番管１５の十分な使用強度が確保できると共に、使用時のサクソフォーンの配置状態で、マウスピース２１及びネック１７の上部側で生成された水が流入した際、水が案内されて流下し易い深さであるのが好ましい。
【００６４】
溝６１の位置は、二番管１５のhightＦ♯、hightＦ、hightＥ♭及びhightＤ及び左手トーンホール２３の全てと離間する位置であることが必要である。溝６１の長さは、少なくともＢのトーンホール２３ｅより下側、好ましくはＧのトーンホール２３ｆより下側、より好ましくはＧ♯のトーンホール２３ｇより下側となるのが好ましい。更に、二番管１５の全長に渡り溝を設けてもよい。
この実施の形態では、溝６１を二番管１５の軸に沿って直線的に形成するために、溝６１に近接したり重なり易いトーンホール２３については、溝６１から離間するように周方向に位置を移動して設けていてもよい。ここでは、hightＦ♯のトーンホール２３ａ及びhightＦのトーンホール２３ｂの一方又は双方を溝６１から離間するように周方向に移動させている。
【００６５】
このような段差凹部５９及び溝６１の内表面は、親水性処理面としてもよい。その場合、段差凹部５９の表面の親水性はネック１７の内壁面より高くなり、溝６１の内表面は親水性処理面の親水性は二番管１５の内壁面より高くなる。
【００６６】
このようなサクソフォーン１０によれば、マウスピース２１及びネック１７内で息が凝縮してネック１７内を流下した水は、使用時の配置状態によりネック１７の前方側に流下し、段差凹部５９に流入し、段差凹部５９内で案内されて溝６１内に流入して、溝６１内で一番管１３側に案内されて流下する。また、二番管１５の上部側などで生じて溝６１内に流入した水も溝６１内で一番管１３側に案内されて流下する。
【００６７】
そのため、これらの水が、二番管１５のネック１７側のhightＦ♯、hightＦ、hightＥ♭及びhightＤのトーンホール２３ａ，２３ｂ，２３ｃ，２３ｄ、更には二番管１５の左手トーンホール２３に到達し難くなることで、各トーンホール２３から漏出する水の量を少なく抑えたり、無くすことが可能である。しかも、サクソフォーン１０の音に対する悪影響も防止できる。
【００６８】
なお、上記では、溝６１として直線形状のものについて説明したが、特に限定されるものではなく、水を案内可能な範囲で溝６１を曲線形状に形成することも可能である。
また、上記実施の形態では、水案内手段が段差凹部５９及び溝６１からなる例について説明したが、他の実施の形態に係る水案内手段４０と共に用いることも可能である。
【００６９】
［第６の実施の形態］
この実施の形態６のサクソフォーン１０では、水案内手段として、例えば、図３の二点鎖線で示すように、二番管１５のhightＦ♯、hightＦ、hightＥ♭及びhightＤのトーンホール２３ａ，２３ｂ，２３ｃ，２３ｄや、二番管１５の左手トーンホール２３、好ましくは全てのトーンホール２３の開口の周囲を除く内壁面に親水性処理を施していてもよい。更に、各トーンホール２３の開口の周囲に撥水性被膜などの撥水性処理を施すことも好適である。
【００７０】
このような構成であっても、二番管１５の各トーンホール２３から漏出する水の量を少なく抑えたり、無くすことが可能である。しかも、サクソフォーン１０の音に対する悪影響も防止できる。
【００７１】
なお、上記の第２，第６の実施の形態などでは、正面中心線Ｌｆに近接するトーンホール２３を、二番管１５の軸線Ｌｓ周りの周方向に、正面中心線Ｌｆから離間するように位置をずらすことも好ましい。
【００７２】
［第７の実施の形態］
図１０は第７の実施の形態を示しており、水案内手段が設けられたサクソフォーン１０の例である。この実施の形態のサクソフォーン１０では、二番管１５に軸線に対して直交方向に突出して形成されているソルダードタイプ又はドローンタイプのトーンホール２３に対し、水案内手段としての筒状体７１を装着した例である。
【００７３】
図１０（ａ）に示す筒状体７１は、トーンホール周壁５５内にタンポ２９が配置されている外側から挿入されて、内表面に略密着した状態で装着されている。外側端部はトーンホール周壁５５の頂部側周縁と嵌合できる形状を呈しており、トーンホール２３の内部に入り込まないようになっている。この筒状体７１の頂部はタンポ２９が当接することで、トーンホール２３を確実に閉塞できるように形成されている。
【００７４】
一方、筒状体７１の長さはトーンホール周壁５５の突出長さより長く形成されており、筒状体７１の端部が二番管１５の内部に突出して配置されている。二番管１５の内側に配置される端部は軸方向に対して斜めに形成されており、二番管１５内に下勾配に傾斜するように装着されるようになっている。
【００７５】
このような筒状体７１は、二番管１５の全てのトーンホール２３に装着されていてもよく、例えばhightＦ♯、hightＦ、hightＥ♭及びhightＤのトーンホール２３ａ，２３ｂ，２３ｃ，２３ｄのように水の漏出が起こり易いトーンホール２３に装着されていてもよい。
【００７６】
筒状体７１の材質は特に限定されるものではなく、例えば金属からなるものであってもよいが、装着し易くトーンホール２３の内表面に密着させ易いなどの理由で、樹脂により形成されているのも好ましい。
【００７７】
このような筒状体７１を装着したサクスフォーン１０であっても、筒状体７１が装着された二番管１５の各トーンホール２３から漏出する水の量を少なく抑えたり、無くすことが可能であり、また、サクソフォーン１０の音に対する悪影響も防止できる。
【００７８】
なお、筒状体７１の形状は特に限定されるものではなく、適宜変更可能であり、例えば図１０（ｂ）に示すように、両端縁が何れも軸方向に対して直交するように形成されていてもよい。また、トーンホール周壁５５の頂部に配置される端部をトーンホール２３の外径と略同一に形成して見栄えを向上してもよい。
以上説明したような実施の形態１〜７は、サクスフォーンに本発明を適用した例であるが、他の管楽器にも適用することが可能である。
【符号の説明】
【００７９】
１０  サクソフォーン
１１  ベル
１３  一番管
１５  二番管
１７  ネック
１９  リード
２１  マウスピース
２３、２３ａ〜２３ｇ  トーンホール
２５  レバー
２７  指貝
２９  タンポ
３０  サクソフォーン用水漏出防止具
３３ａ，３３ｂ  被覆部材
４０  水案内手段
４１  逃げ開口
４３  突出部分
４７  固定部
４９  吊下部材
５１  線状部材
５３  錘
５５  トーンホール周壁
５７  突出壁
５９  段差凹部
６１  溝
【図１】
2011002589.tif 000003
【図２】
2011002589.tif 000004
【図３】
2011002589.tif 000005
【図４】
2011002589.tif 000006
【図５】
2011002589.tif 000007
【図６】
2011002589.tif 000008
【図７】
2011002589.tif 000009
【図８】
2011002589.tif 000010
【図９】
2011002589.tif 000011
【図１０】
2011002589.tif 000012